(57)【特許請求の範囲】
【請求項１】
コンテンツを取得可能な複数のアプリケーションを記憶するサーバと通信可能に接続された受信機であって、
ユーザから操作を受け付ける操作受付手段と、
番組コンテンツとは異なるアプリ用コンテンツを前記サーバから取得するための、１又は複数の前記アプリケーションそれぞれに対応し、アプリケーションの実行を制御するための情報が記述されているライフサイクル制御情報とアプリケーションの所在を示すロケーション情報とを含むアプリケーション管理情報を記憶するアプリケーション管理情報記憶手段と、
放送を介して、番組コンテンツと前記アプリケーション管理情報とが多重化されて構成される番組コンテンツ信号を受信する受信手段と、
前記番組コンテンツ信号に多重化されている前記アプリケーション管理情報を抽出して前記アプリケーション管理情報記憶手段に記憶させる第１アプリケーション管理情報取得手段と、
前記サーバから受信した前記アプリケーション管理情報を、所定の条件に基づいて前記アプリケーション管理情報記憶手段に記憶させる第２アプリケーション管理情報取得手段と、
前記アプリケーション管理情報記憶手段を監視し、新たにアプリケーション管理情報が記憶された場合に前記アプリケーション管理情報の前記ライフサイクル制御情報に自動実行を示す情報が記述されている前記アプリケーション管理情報に対応するアプリケーションを特定し、当該アプリケーションに対応する前記アプリケーション管理情報の前記ロケーション情報に基づいて前記サーバから当該アプリケーションを取得して実行するアプリケーション自動実行手段と、
前記操作受付手段によりユーザから所定の操作を受け付けたことに応じて、前記アプリケーション管理情報記憶手段に記憶されている前記アプリケーション管理情報の前記ライフサイクル制御情報に実行可能を示す情報が記述されている前記アプリケーション管理情報に対応するアプリケーションの情報が表示されたメニュー画面を生成するメニュー生成手段と、
前記アプリケーションにより取得されたコンテンツ及び前記メニュー画面の少なくともいずれかと、前記番組コンテンツとを合成して表示制御を行う合成表示制御手段と、
前記合成表示制御手段により、前記メニュー画面が前記番組コンテンツに合成された後、前記操作受付手段によりアプリケーションの選択操作を受け付けたことに応じて、選択されたアプリケーションに対応する前記アプリケーション管理情報の前記ロケーション情報に基づいて、前記サーバから当該アプリケーションを取得して実行するアプリケーション手動実行手段と、
を備える、受信機。
【請求項２】
アプリケーションを予め記憶するアプリケーション記憶手段を更に備え、
前記アプリケーション管理情報記憶手段は、前記アプリケーション記憶手段に記憶されているアプリケーションに対応し、前記アプリケーション記憶手段のアドレスを示す前記ロケーション情報を含むアプリケーション管理情報を記憶し、
前記アプリケーション手動実行手段は、前記合成表示制御手段により、前記メニュー画面が前記番組コンテンツに合成された後、前記操作受付手段によりアプリケーションの選択操作を受け付けたことに応じて、選択されたアプリケーションの前記ロケーション情報に基づいて、前記サーバ又は前記アプリケーション記憶手段から当該アプリケーションを取得して実行する、
請求項１に記載の受信機。
【請求項３】
前記合成表示制御手段は、アプリケーションの登録を受け付けるための登録画面を前記番組コンテンツと合成して表示制御を行い、
前記操作受付手段により前記アプリケーションの登録操作を受け付けたことに応じて、複数のアプリケーション管理情報を前記サーバから取得し、取得したアプリケーション管理情報に基づいて、前記登録画面を生成する登録画面生成手段と、
前記合成表示制御手段により、前記登録画面が前記番組コンテンツに合成された後、前記操作受付手段によりアプリケーションの選択操作を受け付けたことに応じて、選択されたアプリケーションに対応し、前記登録画面生成手段により取得された前記アプリケーション管理情報を前記アプリケーション管理情報記憶手段に記憶させるアプリケーション登録手段と、
を更に備え、
前記第２アプリケーション管理情報取得手段は、前記サーバから受信した前記アプリケーション管理情報のうち、前記登録画面生成手段の応答として前記サーバから取得されたアプリケーション管理情報を除いて前記アプリケーション管理情報記憶手段に記憶させる、
請求項１又は２に記載の受信機。
【請求項４】
前記アプリケーション登録手段は、前記登録画面に基づいて選択されたアプリケーションに対応する前記アプリケーション管理情報のロケーション情報に基づいて、当該アプリケーションを前記サーバから取得して実行する、
請求項３に記載の受信機。
【発明の詳細な説明】
【技術分野】
【０００１】
本発明は、放送に連動可能なアプリケーションを実行する受信機に関する。
【背景技術】
【０００２】
近年の放送のデジタル化と通信のブロードバンド化の進展に伴い、放送通信連携サービスの実現に向けた研究開発が行われている。
このような放送通信連携サービスでは、放送と通信という異なる伝送路を用いてコンテンツを配信し、デジタルテレビやパーソナルコンピュータ、携帯端末等の受信機に、配信されたそれらの複数のコンテンツの表示画面を合わせて同時に表示することが考えられている。
【０００３】
例えば、特許文献１では、ウィジェット（又はガジェット）やブラウザ等のアプリケーションプログラム（以下、アプリケーションと記載する。）を用い、放送により配信されたコンテンツである放送番組の表示画面上に、通信により配信された文字情報、音声、動画等のコンテンツを重ね合わせて表示することが提案されている。
【先行技術文献】
【特許文献】
【０００４】
【特許文献１】特開２０１０−４４９８号公報
【発明の概要】
【発明が解決しようとする課題】
【０００５】
ところで、放送と通信との連携を強化するため、実行可能なアプリケーションの情報を、放送局とサーバとの双方から通知することが望まれている。
一方で、ユーザが放送と連携させたいアプリケーションを受信機に予め記憶したり、受信機のメーカーが利便性やサービスの強化等を目的としてアプリケーションを受信機に予め記憶したりすることが望まれている。
【０００６】
しかしながら、特許文献１では、異なる通知先からの実行可能なアプリケーションの情報の通知や、予め記憶されているアプリケーション等、複数種類のアプリケーションを簡易的に実行する方法が示されておらず、これら複数の種類のアプリケーションの実行に適した仕組みが求められている。
【０００７】
本発明は、複数種類のアプリケーションの実行に適した受信機を提供することを目的とする。
【課題を解決するための手段】
【０００８】
本発明に係る受信機は、コンテンツを取得可能な複数のアプリケーションを記憶するサーバと通信可能に接続された受信機であって、ユーザから操作を受け付ける操作受付手段と、１又は複数の前記アプリケーションそれぞれに対応し、アプリケーションの実行を制御するためのライフサイクル制御情報とアプリケーションの所在を示すロケーション情報とを含むアプリケーション管理情報を記憶するアプリケーション管理情報記憶手段と、放送を介して、番組コンテンツと前記アプリケーション管理情報とが多重化されて構成される番組コンテンツ信号を受信する受信手段と、前記番組コンテンツ信号に多重化されている前記アプリケーション管理情報を抽出して前記アプリケーション管理情報記憶手段に記憶させる第１アプリケーション管理情報取得手段と、前記サーバから受信した前記アプリケーション管理情報を、所定の条件に基づいて前記アプリケーション管理情報記憶手段に記憶させる第２アプリケーション管理情報取得手段と、前記アプリケーション管理情報記憶手段に記憶されている前記アプリケーション管理情報の前記ライフサイクル制御情報に基づいて実行するアプリケーションを特定し、当該アプリケーションに対応する前記アプリケーション管理情報の前記ロケーション情報に基づいて前記サーバから当該アプリケーションを取得して実行するアプリケーション自動実行手段と、前記操作受付手段により所定の操作を受け付けたことに応じて、前記アプリケーション管理情報記憶手段に記憶されている前記アプリケーション管理情報の前記ライフサイクル制御情報に基づいて、実行可能なアプリケーションの情報を含むメニュー画面を生成するメニュー生成手段と、前記アプリケーションにより取得されたコンテンツ及び前記メニュー画面の少なくともいずれかと、前記番組コンテンツとを合成して表示制御を行う合成表示制御手段と、前記合成表示制御手段により、前記メニュー画面が前記番組コンテンツに合成された後、前記操作受付手段によりアプリケーションの選択操作を受け付けたことに応じて、選択されたアプリケーションに対応する前記アプリケーション管理情報の前記ロケーション情報に基づいて、前記サーバから当該アプリケーションを取得して実行するアプリケーション手動実行手段と、を備える構成とした。
【０００９】
かかる構成によれば、受信機は、放送を介して取得されたアプリケーション管理情報と、通信を介して取得されたアプリケーション管理情報とをアプリケーション管理情報記憶手段にまとめて記憶する。そして、受信機は、アプリケーション管理情報記憶手段に記憶されているアプリケーション管理情報に基づいてアプリケーションを実行するので、複数種類のアプリケーションの実行に適している。
【００１０】
また、受信機は、アプリケーションを予め記憶するアプリケーション記憶手段を更に備え、前記アプリケーション管理情報記憶手段は、前記アプリケーション記憶手段に記憶されているアプリケーションに対応し、前記アプリケーション記憶手段のアドレスを示す前記ロケーション情報を含むアプリケーション管理情報を記憶し、前記アプリケーション手動実行手段は、前記合成表示制御手段により、前記メニュー画面が前記番組コンテンツに合成された後、前記操作受付手段によりアプリケーションの選択操作を受け付けたことに応じて、選択されたアプリケーションの前記ロケーション情報に基づいて、前記サーバ又は前記アプリケーション記憶手段から当該アプリケーションを取得して実行する構成としてもよい。
【００１１】
かかる構成によれば、受信機は、アプリケーション記憶手段に予め記憶されているアプリケーションに対応するアプリケーション管理情報をアプリケーション管理情報記憶手段に記憶させる。ここで、予め記憶されているアプリケーションに対応するアプリケーション管理情報に含まれているロケーション情報は、アプリケーション記憶手段のアドレス（パス）を示している。よって、受信機のユーザは、予め記憶されているアプリケーションを実行する場合、サーバからアプリケーションを取得して実行する場合と同様に、メニュー画面から実行することができる。
【００１２】
また、受信機では、前記合成表示制御手段は、アプリケーションの登録を受け付けるための登録画面を前記番組コンテンツと合成して表示制御を行い、前記操作受付手段により前記アプリケーションの登録操作を受け付けたことに応じて、複数のアプリケーション管理情報を前記サーバから取得し、取得したアプリケーション管理情報に基づいて、前記登録画面を生成する登録画面生成手段と、前記合成表示制御手段により、前記登録画面が前記番組コンテンツに合成された後、前記操作受付手段によりアプリケーションの選択操作を受け付けたことに応じて、選択されたアプリケーションに対応し、前記登録画面生成手段により取得された前記アプリケーション管理情報を前記アプリケーション管理情報記憶手段に記憶させるアプリケーション登録手段と、を更に備え、前記第２アプリケーション管理情報取得手段は、前記サーバから受信した前記アプリケーション管理情報のうち、前記登録画面生成手段の応答として前記サーバから取得されたアプリケーション管理情報を除いて前記アプリケーション管理情報記憶手段に記憶させる構成としてもよい。
【００１３】
かかる構成によれば、受信機は、登録操作を介して、番組コンテンツに多重化されるアプリケーション管理情報と異なる経路でアプリケーション管理情報を取得して、アプリケーション管理情報記憶手段に記憶することができる。登録操作を介して登録されたアプリケーション管理情報には、放送に連動しないアプリケーションのアプリケーション管理情報も含まれている。よって、受信機は、アプリケーション管理情報記憶手段に記憶されたアプリケーション管理情報に基づいて、放送に連携するアプリケーションの情報と、登録されたアプリケーション（放送に連動しないアプリケーション）の情報との双方をメニュー画面にまとめることができる。よって、受信機のユーザは、簡易的な操作で、放送に連携するアプリケーションと登録されたアプリケーション（放送に連動しないアプリケーション）とを実行することができる。
【００１４】
また、受信機では、前記アプリケーション登録手段は、前記登録画面に基づいて選択されたアプリケーションに対応する前記アプリケーション管理情報のロケーション情報に基づいて、当該アプリケーションを前記サーバから取得して実行する構成としてもよい。
【００１５】
かかる構成によれば、受信機のユーザは、アプリケーションの登録時にアプリケーションを実行することができる。
【発明の効果】
【００１６】
本発明によれば、複数種類のアプリケーションの実行に適した受信機を提供することができる。
【図面の簡単な説明】
【００１７】
【図１】放送通信連携システムの全体構成図である。
【図２】デジタル放送に係る放送信号の伝送プロトコルのスタックを示す図である。
【図３】受信機の機能構成を示すブロック図である。
【図４】ＸＭＬ形式で記述されたＡＩＴの一例を示す図である。
【図５】番組コンテンツの映像がディスプレイに表示された例を示す図である。
【図６】自動的に実行されたアプリケーションの映像と番組コンテンツの映像とが合成表示された例を示す図である。
【図７】自動的に実行されたアプリケーションから実行されたアプリケーションの映像と番組コンテンツの映像とが合成表示された例を示す図である。
【図８】メニュー画面と番組コンテンツの映像とが合成表示された例を示す図である。
【図９】メニュー画面から実行されたアプリケーションの映像と番組コンテンツの映像とが合成表示された例を示す図である。
【図１０】ＡＩＴ記憶部にＡＩＴが記憶されてからアプリケーションが自動実行されるまでの処理の流れを示すフローチャートである。
【図１１】ＡＩＴ記憶部にＡＩＴが記憶されてからアプリケーションが手動実行されるまでの処理の流れを示すフローチャートである。
【図１２】アプリケーションが登録されるまでの処理の流れを示すフローチャートである。
【発明を実施するための形態】
【００１８】
以下、本発明の実施の形態について図面を参照して説明する。
図１は、本発明の一実施形態に係る放送通信連携システム１００の全体構成図である。放送通信連携システム１００は、放送局１と、放送用アンテナ２と、サービスサーバ３（配信サーバ）と、受信機４とを含んで構成される。この放送通信連携システム１００では、受信機４において、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ：統合デジタル放送サービス）方式によって放送局１から提供される放送サービスと、インターネット等により構成される通信ネットワークＮを介してサービスサーバ３から提供される通信サービスとを連携し、放送通信連携サービスとして受信機４のユーザに提供する。
【００１９】
放送局１は、番組編成設備と、番組送出設備と、送信設備とを含んで構成される一般的なデジタル放送用の放送設備（図示省略）を備える。
放送局１は、放送設備によって、コンテンツや、イベント情報（Ｅｖｅｎｔ  Ｉｎｆｏｒｍａｔｉｏｎ  Ｔａｂｌｅ：ＥＩＴ）や、アプリケーション管理情報（Ａｐｐｌｉｃａｔｉｏｎ  Ｉｎｆｏｒｍａｔｉｏｎ  Ｔａｂｌｅ：ＡＩＴ）等を制作する。そして、放送局１は、放送設備によって、これらコンテンツ、イベント情報及びＡＩＴ等を放送信号に多重化する。そして、放送局１は、放送設備によって、この放送信号を放送波に変調し、放送用アンテナ２を介して放送波を放送する。
【００２０】
放送局１から放送される放送波に含まれるコンテンツには、放送スケジュールに従って放送され映像や音声を含んで構成されるコンテンツである番組コンテンツや、番組コンテンツとは非同期に発生する緊急地震速報等のコンテンツである緊急コンテンツ等が含まれる。
【００２１】
イベント情報は、番組コンテンツの名称、番組コンテンツの放送日時、番組コンテンツの説明等、コンテンツに関するメタ情報を含む。以下、イベント情報をＥＩＴという。
ＡＩＴは、番組コンテンツに連動するコンテンツを受信機４に提供可能なアプリケーションプログラム（以下、アプリケーションと記載する）を１又は複数管理するための管理情報である。ＡＩＴには、１又は複数のアプリケーションそれぞれに対応し、１又は複数のアプリケーションそれぞれを管理するための個別管理情報が、１又は複数含まれる。個別管理情報には、アプリケーションを識別するアプリケーションＩＤや、アプリケーションのライフサイクルを制御するライフサイクル制御情報や、アプリケーションの所在を示すロケーション情報が含まれている（図４参照）。
【００２２】
アプリケーションにより提供されるコンテンツには、番組コンテンツに連動するコンテンツ及び番組コンテンツに連動しないコンテンツが含まれる。以下、アプリケーションにより提供されるコンテンツをアプリ用コンテンツという。
【００２３】
放送信号は、従来のデジタル放送の放送信号と同一であり、ＡＲＩＢ（登録商標）（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ：社団法人電波産業会）標準規格で規定される。
【００２４】
図２は、デジタル放送に係る放送信号の伝送プロトコルのスタックを示す図である。図２に示すように、デジタル放送によって提供される映像、音声等の各種データは、国際標準規格ＭＰＥＧ−２  Ｓｙｓｔｅｍｓで規定されるＴＳパケット（トランスポートストリームパケット）に格納されて、時分割で多重伝送される。
【００２５】
ＴＳパケットには、図２に示すように、セクションに対してＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）が規定されている。ＰＳＩ／ＳＩには、ＴＳパケットに格納されているデータの種別を示す情報や、コンテンツの種別を示す情報が含まれている。上述のＥＩＴは、ＳＩに含まれている。
【００２６】
ＴＳパケットによるデータ伝送は、セクションを用いてデータを伝送する方式とＰＥＳ（Ｐａｃｋｅｔｉｚｅｄ  Ｅｌｅｍｅｎｔａｒｙ  Ｓｔｒｅａｍ）パケットを用いてデータを伝送する方式（データストリーム伝送方式）とに分類される。
【００２７】
セクションを用いてデータを伝送する方式には、データカルーセル伝送方式と、イベントメッセージ伝送方式がある。
【００２８】
データカルーセル伝送方式は、１又は複数のデータを一定周期で繰り返し伝送される伝送方式であり、この伝送方式によって伝送される個々のデータ（モジュール）には個々のデータを識別するための識別情報が付されている。データカルーセル伝送方式は、受信機４側に個々のデータを任意のタイミングで取得させることを目的として用いられる。
【００２９】
イベントメッセージ伝送方式は、放送局１から受信機４に対して、トリガ信号を送るための方式である。イベントメッセージ伝送方式は、データ量が少ないメッセージを放送局１から受信機４に伝送する場合に用いられる。
【００３０】
データストリーム伝送方式は、伝送するデータをＰＥＳパケットに収容してストリームとして伝送する伝送方式である。データストリーム伝送方式は、映像、音声、字幕データ等のリアルタイム型のデータや、他のストリームとの同期を要するデータの伝送に用いられる。
【００３１】
ここで、ＡＩＴは、ＴＳパケットを用いて様々な方法によって伝送可能である。
すなわち、ＡＩＴは、ＴＳパケットのＳＩに含まれるＥＩＴに対して記述することによって伝送可能である。
【００３２】
また、ＡＩＴは、セクションを用いてデータカルーセル伝送方式により伝送可能である。ＡＩＴをデータカルーセル伝送方式により伝送する場合、受信機４側でＡＩＴであることを認識できるようにモジュールに対して識別情報が付される。
【００３３】
また、ＡＩＴは、ＰＥＳとしてコンテンツの映像や音声に多重させて伝送可能である。
【００３４】
また、ＡＩＴは、バイナリ表現又はＸＭＬ（Ｅｘｔｅｎｓｉｂｌｅ  Ｍａｒｋｕｐ  Ｌａｎｇｕａｇｅ）によるテキスト表現で記述して、ＴＳパケットに格納することができる。
本実施形態では、ＡＩＴの伝送方法は、上記の伝送方法の少なくともいずれかに予め規定されているものとする。
【００３５】
マルチメディア符号化（ＢＭＬ：Ｂｒｏａｄｃａｓｔ  Ｍａｒｋｕｐ  Ｌａｎｇｕａｇｅ）は、Ｗ３Ｃ（登録商標）（Ｗｏｒｌｄ  Ｗｉｄｅ  Ｗｅｂ  Ｃｏｎｓｏｒｔｉｕｍ）が定義したｘＨＴＭＬを基礎とし、手続き型言語にはＪａｖａＳｃｒｉｐｔ（登録商標）を基礎としたＥＣＭＡＳｃｒｉｐｔを用いて国際標準との整合性を考慮して定義された規格である。
【００３６】
サービスサーバ３は、図示は省略するが、番組コンテンツや、アプリケーションに対して配信するコンテンツ（アプリ用コンテンツ）を配信するコンテンツ配信サーバと、受信機４で動作する各種のアプリケーションを配信するアプリケーション配信サーバとを備える。
【００３７】
サービスサーバ３は、放送局１の設備と通信可能に接続されており、放送局１から番組コンテンツや、番組コンテンツのメタデータを受信する。
サービスサーバ３は、受信機４から番組コンテンツの取得要求を受け付けたことに応じて、受信機４に対して番組コンテンツを送信する。
【００３８】
また、サービスサーバ３は、アプリケーションを記憶しており、受信機４からアプリケーションの取得要求を受け付けたことに応じて、受信機４に対してアプリケーションを送信する。更に、サービスサーバ３は、受信機４においてアプリケーションが実行されている場合に、アプリ用コンテンツの映像データや音声データ等を受信機４に送信する。
【００３９】
また、サービスサーバ３は、ＡＩＴを記憶しており、ＡＩＴを番組コンテンツに対して多重化させて受信機４に送信する。また、サービスサーバ３は、受信機４からＡＩＴの取得要求を受け付けたことに応じて、受信機４に対してＡＩＴを送信する。
【００４０】
受信機４は、放送局１からの放送を介して受信する番組コンテンツに対して所定の処理を行うことにより、番組コンテンツの映像データ及び音声データを同期して出力する。また、受信機４は、放送局１からの放送と連携して行われるサービスサーバ３との通信を介して受信する番組コンテンツ（ＶＯＤにより受信する番組コンテンツ）に対して所定の処理を行うことにより、番組コンテンツの映像データ及び音声データを同期して出力する。
【００４１】
また、受信機４は、ＡＩＴに基づいてアプリケーションを取得し、取得したアプリケーションを実行する。続いて、受信機４は、実行されているアプリケーションによってサービスサーバ３からアプリ用コンテンツの映像データや音声データ等を取得し、番組コンテンツの映像データ及び音声データに連携させて出力する。以下に、受信機４の機能について詳述する。
【００４２】
図３は、本実施形態に係る受信機４の機能構成を示すブロック図である。
受信機４は、受信手段としての放送波受信部１１と、第１分離部１２と、第１アプリケーション管理情報取得手段としての放送ＡＩＴ取得部１３と、通信部１４と、第２分離部１５と、第２アプリケーション管理情報取得手段としての通信ＡＩＴ取得部１６と、操作受付手段としての操作受付部１７と、アプリケーション制御部１８と、音声制御部１９と、合成表示制御手段としての表示制御部２０と、スピーカ２１と、ディスプレイ２２と、メモリ２３と、アプリケーション管理情報記憶手段としてのＡＩＴ記憶部２４と、アプリケーション記憶手段としてのアプリケーション記憶部２５とを備える。
【００４３】
放送波受信部１１は、放送用アンテナ２を介して放送局１から放送されている放送波を受信する。
【００４４】
第１分離部１２は、放送波受信部１１により受信した放送波を復調し、放送波から放送信号、すなわち、ＴＳパケットを抽出する。そして、第１分離部１２は、ＴＳパケットのＰＳＩ／ＳＩを参照して、ＴＳパケットに含まれているデータの種別を判別し、映像、音声、ＥＩＴ等の各種データを抽出する。また、第１分離部１２は、予め規定されているＡＩＴの伝送方法に応じて、セクション及びＰＥＳを参照してＡＩＴを抽出する。
【００４５】
続いて、第１分離部１２は、ＴＳパケットのＰＥＳに含まれているデータが音声データである場合、この音声データを音声制御部１９に出力する。また、第１分離部１２は、ＴＳパケットのＰＥＳに含まれているデータが映像データである場合、この映像データを表示制御部２０に出力する。
【００４６】
また、第１分離部１２は、抽出したＥＩＴやその他の各種データをメモリ２３に記憶させる。また、第１分離部１２は、ＡＩＴを抽出した場合、抽出したＡＩＴを放送ＡＩＴ取得部１３に出力する。
【００４７】
放送ＡＩＴ取得部１３は、第１分離部１２から出力されたＡＩＴを取得し、ＡＩＴ記憶部２４に記憶させる。
【００４８】
通信部１４は、通信ネットワークＮを介してサービスサーバ３とデータの送受信を行う通信インタフェースである。
【００４９】
第２分離部１５は、通信部１４により受信されたデータの種別を判別する。第２分離部１５は、受信したデータがＡＩＴであると判別した場合、このＡＩＴを通信ＡＩＴ取得部１６に出力する。また、第２分離部１５は、受信したデータがアプリケーションであると判別した場合、このアプリケーションをアプリケーション制御部１８に出力する。
なお、第２分離部１５は、後述の登録画面生成部１８５によるＡＩＴの取得要求に対応して通信部１４によりＡＩＴが受信された場合、ＡＩＴを登録画面生成部１８５に出力する。
【００５０】
例えば、第２分離部１５は、受信したデータがＴＳパケットであると判別した場合、映像、音声、ＡＩＴ等の各種データをＴＳパケットから抽出する。そして、第２分離部１５は、ＡＩＴを抽出した場合、このＡＩＴを通信ＡＩＴ取得部１６に出力し、ＡＩＴ以外のデータを抽出した場合、このデータをアプリケーション制御部１８に出力する。
【００５１】
通信ＡＩＴ取得部１６は、第２分離部１５から出力されたＡＩＴを取得し、ＡＩＴ記憶部２４に記憶させる。
【００５２】
操作受付部１７は、通信部１４を介して、受信機４に設けられているリモコンＲを介してユーザから操作を受け付ける。リモコンＲには、Ｈｙｂｒｉｄｃａｓｔ（登録商標）ボタンが設けられており、このＨｙｂｒｉｄｃａｓｔボタンが押下されると、後述のメニュー生成部１８２によって、メニュー画面が生成される。なお、操作受付部１７は、携帯電話機等の外部端末から通信部１４を介して操作を受け付けてもよい。
【００５３】
アプリケーション制御部１８は、ＡＩＴ又はリモコンＲを介したユーザの実行指示に基づいてアプリケーションを取得し、取得したアプリケーションの実行を制御する。そして、アプリケーション制御部１８は、アプリケーションの実行によってサービスサーバ３から取得されたアプリ用コンテンツの音声データを音声制御部１９に出力するとともに、サービスサーバ３から取得されたアプリ用コンテンツの映像データを表示制御部２０に出力する。
【００５４】
図４は、ＸＭＬ形式で記述されたＡＩＴの一例を示す図である。上述したように、ＡＩＴには、１又は複数のアプリケーションそれぞれに対応し、１又は複数のアプリケーションそれぞれを管理するための個別管理情報が１又は複数含まれる。
具体的には、図４に示される＜ｍｈｐ：Ａｐｐｌｉｃａｔｉｏｎ＞タグから＜／ｍｈｐ：Ａｐｐｌｉｃａｔｉｏｎ＞タグまでに記述されているコードは、一のアプリケーションに関する個別管理情報に対応している。ＡＩＴには、＜／ｍｈｐ：Ａｐｐｌｉｃａｔｉｏｎ＞タグの後に、他のアプリケーションの個別管理情報を新たに記述することによって、複数の個別管理情報を記述することができる。
【００５５】
また、個別管理情報に対応するコードのうち、例えば、＜ｍｈｐ：ａｐｐＩｄ＞タグに対応するコードは、アプリケーションのＩＤ（識別情報）を示している。また、＜ｍｈｐ：ｃｏｎｔｒｏｌＣｏｄｅ  ｍｈｐ：ｔｙｐｅ＝“ＡＲＩＢ−Ｊ”＞タグに対応するコードは、このアプリケーションのライフサイクル制御情報を示しており、図４に示される「ＡＵＴＯＳＴＡＲＴ」は、受信機４によってアプリケーションを自動実行させるライフサイクル制御情報である。また、＜ｍｈｐ：ｌｏｃａｔｉｏｎ＞タグに対応するコードは、このアプリケーションの所在を示すロケーション情報を示している。図４に示されるように、ロケーション情報には、アプリケーションの所在として、サービスサーバ３のアドレスが記述されている。なお、ロケーション情報には、アプリケーションの所在として、受信機４のアプリケーション記憶部２５のアドレス（パス）を指定することもできる。
【００５６】
アプリケーション制御部１８は、アプリケーションの実行制御及びアプリケーションのアプリケーション記憶部２５への記憶制御を行う。アプリケーション制御部１８は、アプリケーション自動実行手段としてのアプリケーション自動実行部１８１と、メニュー生成手段としてのメニュー生成部１８２と、アプリケーション手動実行手段としてのアプリケーション手動実行部１８３と、アプリケーション実行制御部１８４と、登録画面生成手段としての登録画面生成部１８５と、アプリケーション登録手段としてのアプリケーション登録部１８６と、を備える。
【００５７】
アプリケーション自動実行部１８１は、ＡＩＴ記憶部２４を監視し、新たにＡＩＴが記憶された場合に、このＡＩＴに記述されているライフサイクル制御情報を参照する。そして、アプリケーション自動実行部１８１は、ＡＩＴ記憶部２４に記憶されているＡＩＴに含まれる個別管理情報のライフサイクル制御情報に基づいて、自動的に実行させるアプリケーションを特定する。具体的には、アプリケーション自動実行部１８１は、ライフサイクル制御情報に「自動実行」を示す「ＡＵＴＯＳＴＡＲＴ」が記述されている個別管理情報に対応するアプリケーションを、自動的に実行させるアプリケーションとして特定する。
【００５８】
そして、アプリケーション自動実行部１８１は、特定したアプリケーションに対応する個別管理情報に記述されているロケーション情報をアプリケーションの取得先として、通信部１４及び第２分離部１５を介してサービスサーバ３からアプリケーションを取得し、取得したアプリケーションを実行する。この場合、アプリケーションは、受信機４のユーザから明示的な操作指示を受けることなく自動的に実行される。
【００５９】
図５に示すように、番組コンテンツの映像がディスプレイ２２に表示されている場合に、複数の個別管理情報を含むＡＩＴが新たにＡＩＴ記憶部２４に記憶されたものとする。このＡＩＴには、５つの個別管理情報が含まれており、５つの個別管理情報は、それぞれメニューアプリケーション、レコメンドアプリケーション、字幕アプリケーション、音声調整アプリケーション、コメントアプリケーションに対応している。そして、メニューアプリケーションに対応する個別管理情報のライフサイクル制御情報には「ＡＵＴＯＳＴＡＲＴ」が記述され、メニューアプリケーション以外のアプリケーションに対応する個別管理情報のライフサイクル制御情報には「ＰＲＥＳＥＮＴ」が記述されているものとする。
【００６０】
この場合、アプリケーション自動実行部１８１は、ライフサイクル制御情報に「ＡＵＴＯＳＴＡＲＴ」が記述されている個別管理情報に対応するメニューアプリケーションを自動的に実行させるアプリケーションとして特定し、メニューアプリケーションをサービスサーバ３から取得して実行する。その後、図６に示すように、表示制御部２０により、メニューアプリケーションに対応する映像Ａと、番組コンテンツの映像とがディスプレイ２２に合成表示される。
【００６１】
更に、図６に示す映像Ａから、「コメント」に対応するコメントアプリケーションが選択された場合、アプリケーション自動実行部１８１は、コメントアプリケーションに対応する個別管理情報のロケーション情報に基づいて、サービスサーバ３からコメントアプリケーションを取得して実行する。すると、図７に示すように、表示制御部２０により、コメントアプリケーションに対応する映像Ａ１と、番組コンテンツの映像とがディスプレイ２２に合成表示される。
【００６２】
メニュー生成部１８２は、操作受付部１７により、受信機４のリモコンＲを介して受信機４のユーザから所定の操作として、Ｈｙｂｒｉｄｃａｓｔボタンの押下操作を受け付けたことに応じて、ＡＩＴ記憶部２４に記憶されているＡＩＴに含まれる個別管理情報のライフサイクル制御情報に基づいて、実行可能なアプリケーションの情報を含むメニュー画面を生成する。具体的には、メニュー生成部１８２は、ライフサイクル制御情報に「実行可能」を示す「ＰＲＥＳＥＮＴ」が記述されている個別管理情報に対応するアプリケーションの情報を、メニューに掲載するアプリケーションの情報として特定する。ここで、アプリケーションの情報は、アプリケーションの名称や、アプリケーションのアイコンであり、個別管理情報に含まれているか、個別管理情報に基づいて取得可能なものとする。
【００６３】
そして、メニュー生成部１８２は、特定したアプリケーションの情報が表示されたメニュー画面を生成し、生成したメニュー画面を表示制御部２０に出力する。その後、表示制御部２０により、メニュー画面と第１分離部１２から出力された映像（番組コンテンツの映像）とが合成された合成画面が生成され、この合成画面がディスプレイ２２に表示される。
【００６４】
例えば、ＡＩＴ記憶部２４に、字幕アプリケーションと、音声調整アプリケーションと、コメントアプリケーションとに対応する３つの個別管理情報を含み放送を介して取得されたＡＩＴと、受信機４のメーカーによってプリインストールされた録画アプリケーションに対応するＡＩＴと、後述のアプリケーション登録画面を介して受信機４のユーザにより登録されたスポーツニュースアプリケーションに対応するＡＩＴとが記憶されているものとする。そして、これらのＡＩＴの個別管理情報のライフサイクル制御情報には「ＰＲＥＳＥＮＴ」が記述されているものとする。
【００６５】
この場合、メニュー生成部１８２は、ライフサイクル制御情報に「ＰＲＥＳＥＮＴ」が記述されている個別管理情報に対応するアプリケーションの情報を、メニューに掲載するアプリケーションの情報として特定してメニュー画面を生成し、このメニュー画面を表示制御部２０に出力する。その後、図８に示すように、表示制御部２０により、メニュー画面に対応する映像Ｂと、番組コンテンツの映像とがディスプレイ２２に合成表示される。図８に示されるメニュー画面に対応する映像Ｂには、放送を介して取得されたＡＩＴに対応するアプリケーション（字幕アプリケーション、音声調整アプリケーション、コメントアプリケーション）の名称と、プリインストールされたアプリケーション（録画アプリケーション）の名称と、ユーザによって登録されたアプリケーション（スポーツニュースアプリケーション）の名称とが表示されている。
【００６６】
アプリケーション手動実行部１８３は、表示制御部２０によりメニュー画面が番組コンテンツに合成され、ディスプレイ２２に表示された後、操作受付部１７によりアプリケーションの選択操作を受け付けたことに応じて、ＡＩＴ記憶部２４に記憶されているＡＩＴを参照し、選択されたアプリケーションに対応する個別管理情報を特定する。そして、アプリケーション手動実行部１８３は、特定した個別管理情報に含まれるロケーション情報に基づいて、サービスサーバ３又はアプリケーション記憶部２５からアプリケーションを取得し、取得したアプリケーションを実行する。
【００６７】
例えば、図８に示すように、メニュー画面に対応する映像Ｂと番組コンテンツの映像とがディスプレイ２２に合成表示されている場合に、メニュー画面に対応する映像Ｂに基づいてスポーツニュースアプリケーションが選択されると、アプリケーション手動実行部１８３は、スポーツニュースアプリケーションの個別管理情報に含まれるロケーション情報に基づいて、サービスサーバ３又はアプリケーション記憶部２５からスポーツニュースアプリケーションを取得し、取得したアプリケーションを実行する。すると、図９に示すように、表示制御部２０により、スポーツニュースアプリケーションに対応する映像Ｂ１と、番組コンテンツの映像とがディスプレイ２２に合成表示される。
【００６８】
アプリケーションは、アプリケーション制御部１８に対して、アプリ用コンテンツの映像データ及び音声データをサービスサーバ３から取得させる。そして、アプリケーション制御部１８は、アプリケーションによって取得したアプリ用コンテンツの音声データを音声制御部１９に出力するとともに、アプリケーションによって取得したアプリ用コンテンツの映像データを表示制御部２０に出力する。ここで、アプリケーションが番組コンテンツに連動するアプリコンテンツを提供するアプリケーションである場合には、アプリ用コンテンツの映像データ及び音声データが番組コンテンツの映像データ及び音声データに連動してディスプレイ２２に表示される。
【００６９】
アプリケーション実行制御部１８４は、ＡＩＴ記憶部２４を監視し、実行中のアプリケーションに対応する個別管理情報を記述したＡＩＴが新たにＡＩＴ記憶部２４に記憶された場合、この個別管理情報に含まれるライフサイクル制御情報に基づいて、実行中のアプリケーションを制御する。例えば、実行中のアプリケーションに対応する個別管理情報のライフサイクル制御情報に「終了」を示す「ＤＥＳＴＲＯＹ」が記述されている場合、アプリケーションの実行を終了する。
【００７０】
登録画面生成部１８５は、操作受付部１７により受信機４のリモコンＲを介して受信機４のユーザからアプリケーションの登録操作を受け付けたことに応じて、サービスサーバ３に対して複数のＡＩＴの取得要求を行う。そして、登録画面生成部１８５は、通信部１４及び第２分離部１５を介して、複数のＡＩＴを取得したことに応じて、複数のＡＩＴそれぞれに含まれる個別管理情報に基づいて、複数のアプリケーションの情報を含み、アプリケーションの登録を受け付けるための登録画面を生成する。そして、登録画面生成部１８５は、生成した登録画面を表示制御部２０に出力する。その後、表示制御部２０により、登録画面と第１分離部１２から出力された映像（番組コンテンツの映像）とが合成された合成画面が生成され、この合成画面がディスプレイ２２に表示される。
なお、登録画面生成部１８５は、リモコンＲを介して受信機４のユーザから操作を受け付けることにより、例えば、アプリケーションの種別に応じてＡＩＴを絞り込むことができるようにしてもよい。
【００７１】
アプリケーション登録部１８６は、表示制御部２０により登録画面が番組コンテンツに合成され、ディスプレイ２２に表示された後、操作受付部１７により、アプリケーションの選択操作を受け付ける。そして、アプリケーション登録部１８６は、操作受付部１７により、アプリケーションの選択操作を受け付けたことに応じて、登録画面生成部１８５により取得されたＡＩＴから、選択されたアプリケーションに対応するＡＩＴを特定する。そして、アプリケーション登録部１８６は、特定したＡＩＴをＡＩＴ記憶部２４に記憶させる。
【００７２】
なお、アプリケーション登録部１８６は、選択されたアプリケーションに対応するＡＩＴを特定した場合に、特定したＡＩＴの個別管理情報に含まれるロケーション情報に基づいて、選択されたアプリケーションをサービスサーバ３から取得し、アプリケーション記憶部２５に記憶させてもよい。そして、アプリケーション登録部１８６は、選択されたアプリケーションをアプリケーション記憶部２５に記憶させた場合に、特定したＡＩＴの個別管理情報に含まれるロケーション情報のアプリケーションの所在を、アプリケーション記憶部２５に変更し、ロケーション情報が変更されたＡＩＴをＡＩＴ記憶部２４に記憶させてもよい。
【００７３】
また、アプリケーション登録部１８６は、サービスサーバ３から取得した、選択されたアプリケーションを実行してもよい。
【００７４】
音声制御部１９は、第１分離部１２から出力された音声データを、表示制御部２０により表示制御される映像データと同期をとりながらスピーカ２１に出力する。また、音声制御部１９は、アプリケーション制御部１８から出力された音声データが表示制御部２０により表示制御される映像データと同期可能である場合、この映像データと同期をとりながら音声データをスピーカ２１に出力する。
【００７５】
表示制御部２０は、第１分離部１２から出力された映像データを、音声制御部１９により出力制御される音声データと同期をとりながらディスプレイ２２に表示させる。また、表示制御部２０は、アプリケーション制御部１８から出力された映像データが音声制御部１９により出力制御される音声データと同期可能である場合、この音声データと同期をとりながら映像データをディスプレイ２２に表示させる。
また、表示制御部２０は、メニュー生成部１８２から出力されたメニュー画面や登録画面生成部１８５から出力された登録画面を第１分離部１２から出力された映像データに合成し、合成された映像データをディスプレイ２２に表示させる。
【００７６】
メモリ２３は、ＥＩＴ等の番組コンテンツのメタ情報やその他各種情報を記憶する。
ＡＩＴ記憶部２４は、放送ＡＩＴ取得部１３及び通信ＡＩＴ取得部１６によって取得されたＡＩＴを記憶する。また、ＡＩＴ記憶部２４は、アプリケーション登録部１８６によって特定されたＡＩＴを記憶する。
【００７７】
アプリケーション記憶部２５は、受信機４にプリインストールされているアプリケーションや、アプリケーション登録部１８６により登録されたアプリケーションを記憶する。
【００７８】
続いて、受信機４における処理の流れについて説明する。
図１０は、本実施形態に係るＡＩＴ記憶部２４にＡＩＴが記憶されてからアプリケーションが自動実行されるまでの処理の流れを示すフローチャートである。
【００７９】
ステップＳ１において、アプリケーション自動実行部１８１は、ＡＩＴ記憶部２４を監視し、「ＡＵＴＯＳＴＡＲＴ」が記述された個別管理情報が存在するか否かを判定する。具体的には、アプリケーション自動実行部１８１は、ＡＩＴ記憶部２４を監視し、新たに記憶されたＡＩＴに「自動実行」を示す「ＡＵＴＯＳＴＡＲＴ」が記述されている個別管理情報が含まれているか否かを判定する。アプリケーション自動実行部１８１は、この判定がＹＥＳの場合、ステップＳ２に処理を移し、この判定がＮＯの場合、ステップＳ１を再実行する。
【００８０】
ステップＳ２において、アプリケーション自動実行部１８１は、「自動実行」を示す「ＡＵＴＯＳＴＡＲＴ」が記述されている個別管理情報に含まれるロケーション情報に基づいて、アプリケーションを取得する。ここで、ロケーション情報には、サービスサーバ３のアドレスが記述されており、アプリケーションは、サービスサーバ３から取得される。
【００８１】
ステップＳ３において、アプリケーション自動実行部１８１は、ステップＳ２において取得されたアプリケーションを実行する。
【００８２】
図１１は、本実施形態に係るＡＩＴ記憶部２４にＡＩＴが記憶されてからアプリケーションが手動実行されるまでの処理の流れを示すフローチャートである。
【００８３】
ステップＳ１１において、メニュー生成部１８２は、操作受付部１７により、受信機４のリモコンＲを介して受信機４のユーザから所定の操作（Ｈｙｂｒｉｄｃａｓｔボタンの押下操作）を受け付ける。
【００８４】
ステップＳ１２において、メニュー生成部１８２は、ＡＩＴ記憶部２４に記憶されているＡＩＴから、ライフサイクル制御情報に「実行可能」を示す「ＰＲＥＳＥＮＴ」が記述されている個別管理情報に対応するアプリケーションを、メニューに掲載するアプリケーションとして特定する。
【００８５】
ステップＳ１３において、メニュー生成部１８２は、ステップＳ１２において特定されたアプリケーションの情報が表示されたメニュー画面を生成し、生成したメニュー画面を表示制御部２０に出力する。
【００８６】
ステップＳ１４において、表示制御部２０は、メニュー画面と番組コンテンツの映像とを合成して合成映像を生成し、この合成映像をディスプレイ２２に表示させる。
【００８７】
ステップＳ１５において、アプリケーション手動実行部１８３は、操作受付部１７によりアプリケーションの選択操作を受け付ける。
【００８８】
ステップＳ１６において、アプリケーション手動実行部１８３は、ＡＩＴ記憶部２４に記憶されているＡＩＴを参照し、ステップＳ１５において選択されたアプリケーションに対応する個別管理情報に含まれるロケーション情報に基づいて、アプリケーションを取得する。取得先には、サービスサーバ３のアドレス又はアプリケーション記憶部２５のパスが記述されており、アプリケーションは、サービスサーバ３又はアプリケーション記憶部２５から取得される。
【００８９】
ステップＳ１８において、アプリケーション手動実行部１８３は、ステップＳ１６において取得されたアプリケーションを実行する。
【００９０】
図１２は、本実施形態に係るアプリケーションが登録されるまでの処理の流れを示すフローチャートである。
【００９１】
ステップＳ２１において、登録画面生成部１８５は、操作受付部１７により、受信機４のリモコンＲを介して受信機４のユーザからアプリケーションの登録操作を受け付ける。
【００９２】
ステップＳ２２において、登録画面生成部１８５は、ステップＳ２１においてアプリケーションの登録操作を受け付けたことに応じて、サービスサーバ３に対して複数のＡＩＴの取得要求を行い、複数のＡＩＴを取得する。
【００９３】
ステップＳ２３において、登録画面生成部１８５は、ステップＳ２２において複数のＡＩＴを取得したことに応じて、複数のＡＩＴそれぞれに含まれる個別管理情報に基づいて、登録画面を生成し、表示制御部２０に出力する。
【００９４】
ステップＳ２４において、表示制御部２０は、登録画面と番組コンテンツの映像とを合成して合成映像を生成し、この合成映像をディスプレイ２２に表示させる。
【００９５】
ステップＳ２５において、アプリケーション登録部１８６は、操作受付部１７によりアプリケーションの選択操作を受け付ける。
【００９６】
ステップＳ２６において、アプリケーション登録部１８６は、ステップＳ２５においてアプリケーションの選択操作を受け付けたことに応じて、ステップＳ２２において取得されたＡＩＴから、選択されたアプリケーションに対応するＡＩＴを特定し、特定したＡＩＴをＡＩＴ記憶部２４に記憶させる。
【００９７】
以上、本実施形態によれば、受信機４は、放送を介して取得されたＡＩＴと、サービスサーバ３から取得されたＡＩＴとをＡＩＴ記憶部２４にまとめて記憶させる。そして、受信機４は、ＡＩＴ記憶部２４に記憶されているＡＩＴに基づいてアプリケーションを実行するので、複数種類のアプリケーションの実行に適している。
【００９８】
また、受信機４は、アプリケーション記憶部２５に予め記憶されているアプリケーション（プリインストールされたアプリケーション）に対応するＡＩＴをＡＩＴ記憶部２４に記憶させる。ここで、予め記憶されているアプリケーションに対応するＡＩＴに含まれているロケーション情報は、アプリケーション記憶部２５のアドレス（パス）を示している。よって、受信機４のユーザは、受信機４に予め記憶されているアプリケーションを実行する場合、サービスサーバ３からアプリケーションを取得して実行する場合と同様に、メニュー画面から実行することができる。
【００９９】
また、受信機４は、登録操作を介して、番組コンテンツに多重化されるＡＩＴと異なる経路でＡＩＴを取得して、ＡＩＴ記憶部２４に記憶させることができる。登録操作を介して登録されたＡＩＴには、放送に連動しないアプリケーションのＡＩＴも含まれている。よって、受信機４は、ＡＩＴ記憶部２４に記憶されたＡＩＴに基づいて、放送に連携するアプリケーションの情報、登録されたアプリケーション（放送に連携しないアプリケーション）の情報との双方をメニュー画面にまとめることができる。よって、受信機４のユーザは、簡易的な操作で、放送に連携するアプリケーションと登録されたアプリケーション（放送に連携しないアプリケーション）とを実行することができる。
【０１００】
また、受信機４は、アプリケーションの登録時にアプリケーションを実行することができるので、受信機４のユーザは、簡易的な操作でアプリケーションの登録とアプリケーションの実行を同時に行うことができる。
【０１０１】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【０１０２】
例えば、本実施形態では、アプリケーション制御部１８は、アプリケーションの登録時に、ＡＩＴをＡＩＴ記憶部２４に記憶させることとしたが、これに限らない。アプリケーション制御部１８は、アプリケーションを登録せずに、アプリケーションを実行したり、アプリケーションを実行してから、実行しているアプリケーションの登録を受け付けるようにしたりしてもよい。
【符号の説明】
【０１０３】
１  放送局
２  放送用アンテナ
３  サービスサーバ
４  受信機
１１  放送波受信部
１２  第１分離部
１３  放送ＡＩＴ取得部
１４  通信部
１５  第２分離部
１６  通信ＡＩＴ取得部
１７  操作受付部
１８  アプリケーション制御部
１９  音声制御部
２０  表示制御部
２１  スピーカ
２２  ディスプレイ
２３  メモリ
２４  ＡＩＴ記憶部
２５  アプリケーション記憶部
１００  放送通信連携システム
１８１  アプリケーション自動実行部
１８２  メニュー生成部
１８３  アプリケーション手動実行部
１８４  アプリケーション実行制御部
１８５  登録画面生成部
１８６  アプリケーション登録部
【図１】
0005854637.tif 000002
【図２】
0005854637.tif 000003
【図３】
0005854637.tif 000004
【図４】
0005854637.tif 000005
【図５】
0005854637.tif 000006
【図６】
0005854637.tif 000007
【図７】
0005854637.tif 000008
【図８】
0005854637.tif 000009
【図９】
0005854637.tif 000010
【図１０】
0005854637.tif 000011
【図１１】
0005854637.tif 000012
【図１２】
0005854637.tif 000013